(57)【要約】【課題】コストを低減して超伝導バルク体を着磁することが容易であり、作業効率を向上する。【解決手段】着磁されることにより静磁場を形成する超伝導バルク体２１３と、その超伝導バルク体２１３が静磁場を形成するように、超伝導バルク体２１３を着磁させる着磁磁場を生成する着磁・補正兼用コイル部２２１とを有し、着磁・補正兼用コイル部２２１は、着磁後の超伝導バルク体２１３により形成される静磁場が均一になるように補正する補正磁場を生成する。【選択図】図２
2006034528.tif 000002
【特許請求の範囲】
【請求項１】
磁場形成部により静磁場が形成された静磁場空間内の被検体からの磁気共鳴信号に基づいて前記被検体の画像を生成する磁気共鳴イメージング装置であって、
前記磁場形成部は、
着磁されることにより前記静磁場を形成する超伝導バルク体と、
前記超伝導バルク体が前記静磁場を形成するように、前記超伝導バルク体を着磁させる着磁磁場を生成するコイル体と
を有し、
前記コイル体は、着磁後の前記超伝導バルク体により形成される静磁場が均一になるように補正する補正磁場を生成する
磁気共鳴イメージング装置。
【請求項２】
前記コイル体は、前記静磁場が前記静磁場空間の外部へ漏洩しないように前記補正磁場を生成する
請求項１に記載の磁気共鳴イメージング装置。
【請求項３】
前記磁場形成部の振動を検知する振動検知部
を備え、
前記コイル体は、前記振動検知部が検知する振動の結果に基づいて前記磁場形成部の振動の影響が少なくなるように、前記補正磁場を生成する
請求項１または２に記載の磁気共鳴イメージング装置。
【請求項４】
前記静磁場空間外からの外部電磁波を検知する外部電磁波検知部
を備え、
前記コイル体は、前記外部電磁波検知部が検知した外部電磁波の結果に基づいて、前記外部電磁波の影響をキャンセルするように前記補正磁場を生成する
請求項１から３のいずれかに記載の磁気共鳴イメージング装置。
【請求項５】
静磁場空間内の被検体からの磁気共鳴信号に基づいて前記被検体の画像を生成する磁気共鳴イメージング装置にて、前記静磁場空間に静磁場を形成するマグネットシステムであって、
着磁されることにより前記静磁場を形成する超伝導バルク体と、
前記超伝導バルク体が前記静磁場を形成するように、前記超伝導バルク体を着磁させる着磁磁場を生成するコイル体と
を有し、
前記コイル体は、着磁後の前記超伝導バルク体により形成される静磁場が均一になるように補正する補正磁場を生成する
マグネットシステム。
【請求項６】
前記コイル体は、前記静磁場が前記静磁場空間の外部へ漏洩しないように前記補正磁場を生成する
請求項５に記載のマグネットシステム。
【請求項７】
当該マグネットシステムの振動を検知する振動検知部
を備え、
前記コイル体は、前記振動検知部が検知する振動の結果に基づいて当該マグネットシステムの振動の影響が少なくなるように、前記補正磁場を生成する
請求項５または６に記載のマグネットシステム。
【請求項８】
前記静磁場空間外からの外部電磁波を検知する外部電磁波検知部
を備え、
前記コイル体は、前記外部電磁波検知部が検知した外部電磁波の結果に基づいて、前記外部電磁波の影響をキャンセルするように前記補正磁場を生成する
請求項５から７のいずれかに記載のマグネットシステム。
【発明の詳細な説明】
【技術分野】
【０００１】
本発明は、磁気共鳴イメージング装置およびマグネットシステムに関する。
【背景技術】
【０００２】
磁気共鳴イメージング（ＭＲＩ：Ｍａｇｎｅｔｉｃ  Ｒｅｓｏｎａｎｃｅ  Ｉｍａｇｉｎｇ）装置は、核磁気共鳴（ＮＭＲ：Ｎｕｃｌｅａｒ  Ｍａｇｎｅｔｉｃ  Ｒｅｓｏｎａｎｃｅ）現象を利用して、被検体の断層画像を撮影できる装置として知られている。磁気共鳴イメージング装置は、医療用途、産業用途などのさまざまな分野において利用されている。
【０００３】
磁気共鳴イメージング装置を用いて被検体の断層画像を撮影する際においては、まず、静磁場が形成された静磁場空間内に被検体を搬送し、被検体内のプロトン（ｐｒｏｔｏｎ）のスピンの方向を静磁場の方向へ整列させて磁化ベクトルを得た状態にする。その後、共鳴周波数の電磁波を照射することにより、核磁気共鳴現象を発生させて磁化ベクトルを変化させる。そして、磁気共鳴イメージング装置は、元の磁化ベクトルに戻るプロトンから発生する磁気共鳴信号を受信し、その受信した磁気共鳴信号に基づいて被検体の断層面の画像を生成する。
【０００４】
上記のような静磁場を形成するマグネットシステムとして、超伝導バルク体を用いたものが知られている（たとえば、特許文献１参照）。超伝導バルク体を用いたマグネットシステムは、超伝導コイルを用いた場合よりも少ないメンテナンスコストで必要な磁場強度を確保可能な利点があり、また、永久磁石を用いた場合よりも軽量であって、高く均一な磁場強度を確保可能な利点がある。
【特許文献１】特開平１１−２４８８１０号公報
【発明の開示】
【発明が解決しようとする課題】
【０００５】
超伝導バルク体を磁気共鳴イメージング装置に適用する場合においては、磁気共鳴イメージング装置を設置する場所で磁場発生装置を用いて超伝導バルク体を着磁するか、設置場所と異なる工場などにて超伝導バルク体を着磁することになる。
【０００６】
前者のように、設置場所で着磁する場合においては、冷却器や着磁コイルなどを含む煩雑な磁気発生装置を設置場所に搬出入し、その磁気発生装置を超伝導バルク体にセットする必要があるため、作業効率が悪く、超伝導バルク体を着磁することが困難な場合があった。そして、作業効率を向上させるために、予め着磁コイルを超伝導バルク体にセットした場合においては、着磁後には着磁コイルが不要になるためにコストアップになる場合があった。
【０００７】
また、後者のように、工場など、設置場所と異なる場所で超伝導バルク体を着磁する場合においては、着磁後の超伝導バルク体を冷却状態に維持する必要があるため、着磁された超伝導バルク体を設置場所に搬出入することが困難であった。
【０００８】
このように、従来においては、コストアップになる場合があって超伝導バルク体を容易に着磁することが難しく、作業効率を向上することが困難であった。
【０００９】
したがって、本発明の目的は、コストを低減して超伝導バルク体を着磁することが容易であり、作業効率を向上可能な磁気共鳴イメージング装置およびマグネットシステムを提供することにある。
【課題を解決するための手段】
【００１０】
上記目的の達成のために本発明の磁気共鳴イメージング装置は、磁場形成部により静磁場が形成された静磁場空間内の被検体からの磁気共鳴信号に基づいて前記被検体の画像を生成する磁気共鳴イメージング装置であって、前記磁場形成部は、着磁されることにより前記静磁場を形成する超伝導バルク体と、前記超伝導バルク体が前記静磁場を形成するように、前記超伝導バルク体を着磁させる着磁磁場を生成するコイル体とを有し、前記コイル体は、着磁後の前記超伝導バルク体により形成される静磁場が均一になるように補正する補正磁場を生成する。
【００１１】
上記の本発明の磁気共鳴イメージング装置によれば、コイル体は、静磁場を形成するように超伝導バルク体を着磁し、そして、その着磁後の超伝導バルク体により形成される静磁場が均一になるように補正する補正磁場を生成する。
【００１２】
上記目的の達成のために本発明のマグネットシステムは、静磁場空間内の被検体からの磁気共鳴信号に基づいて前記被検体の画像を生成する磁気共鳴イメージング装置にて、前記静磁場空間に静磁場を形成するマグネットシステムであって、着磁されることにより前記静磁場を形成する超伝導バルク体と、前記超伝導バルク体が前記静磁場を形成するように、前記超伝導バルク体を着磁させる着磁磁場を生成するコイル体とを有し、前記コイル体は、着磁後の前記超伝導バルク体により形成される静磁場が均一になるように補正する補正磁場を生成する。
【００１３】
上記の本発明の磁気形成装置によれば、コイル体は、静磁場を形成するように超伝導バルク体を着磁し、そして、その着磁後の超伝導バルク体により形成される静磁場が均一になるように補正する補正磁場を生成する。
【発明の効果】
【００１４】
本発明によれば、コストを低減して超伝導バルク体を着磁することが容易であり、作業効率を向上可能な磁気共鳴イメージング装置およびマグネットシステムを提供することができる。
【発明を実施するための最良の形態】
【００１５】
以下より、本発明にかかる実施形態について図面を参照して説明する。
【００１６】
図１は、本実施形態の磁気共鳴イメージング装置の構成を示す構成図である。
【００１７】
図１に示すように、本実施形態の磁気共鳴イメージング装置１は、マグネットシステム２と、操作コンソール３とを有する。
【００１８】
マグネットシステム２は、静磁場マグネット部１２と、勾配コイル部１３と、ＲＦコイル部１４と、振動検知部１５と、外部電磁波検知部１６と、クレードル１７とを有し、電磁波の漏洩および侵入を防止可能なスキャンルーム（図示なし）に配置されている。
【００１９】
一方、操作コンソール３は、ＲＦ駆動部２２と、勾配駆動部２３と、データ収集部２４と、着磁駆動部２５と、補正駆動部２６と、制御部３１と、データ処理部４１と、操作部４２と、表示部４３とを有し、スキャンルームに隣接する操作ルーム（図示なし）に配置されている。
【００２０】
以下より、各構成要素について、順次、説明する。
【００２１】
静磁場マグネット部１２は、被検体が収容される静磁場空間１１に静磁場を形成するために設けられている。
【００２２】
図２は、静磁場マグネット部１２の構成を示す図である。
【００２３】
図２において、図２（ａ）は、静磁場マグネット部１２の側面図である。一方、図２（ｂ）は、一部を断面で示した正面図である。
【００２４】
図２に示すように、静磁場マグネット部１２は、上マグネット部１０１ａと下マグネット部１０１ｂと、サイドマグネット部１０２とを有する。
【００２５】
上マグネット部１０１ａは、図２（ａ）に示すように、ヨーク２０１と、断熱容器２１１と、超伝導バルク体支持部２１２と、超伝導バルク体２１３と、着磁・補正兼用コイル部２２１とを有する。上マグネット部１０１ａは、下マグネット部１０１ｂと静磁場空間１１を挟むように対向して配置されている。上マグネット部１０１ａは、下マグネット部１０１ｂと共に、一端にサイドマグネット部１０２が配置され支持されている。また、下マグネット部１０１ｂも上マグネット部１０１ｂと同様に構成されている。
【００２６】
ヨーク２０１は、たとえば、鉄を用いて円盤形状に形成されており、サイドマグネット部１０２のサイドヨークと、下マグネット部１０１ｂのヨークとに、磁気的に接続されている。
【００２７】
断熱容器２１１は、ヨーク２０１の静磁場空間側の面に配置され、超伝導バルク体支持部２１２と、超伝導バルク体２１３と、冷媒２１４とを収容空間に収容する。断熱容器２１１は、収容空間に超伝導バルク体支持部２１２と超伝導バルク体２１３とを収容するとに、たとえば、液体窒素などの冷媒２１４が注入され、外部からの熱を断熱して超伝導バルク体２１３が超伝導遷移温度以下の冷却状態になるように維持する。なお、断熱容器２１１に注入される冷媒２１４は、液体窒素のほか、必要な冷却温度に応じて、液体ヘリウムなどを用いることができ、パルス管冷凍機、ＧＭサイクル冷凍機、ソルベーサイクル冷凍機、スターリング冷凍機などの冷却装置によって冷却される。
【００２８】
超伝導バルク体支持部２１２は、円盤形状に形成されており、超伝導バルク体２１３と共に断熱容器２１１の収容空間に収容され、超伝導バルク体２１３を支持する。
【００２９】
超伝導バルク体２１３は、たとえば、Ｙ（イットリウム）−Ｂａ（バリウム）−Ｃｕ（銅）−Ｏ（酸素）を主成分とするＹ系の酸化物超伝導体であり、たとえば、溶融法により円盤状に生成された成形体である。超伝導バルク体２１３は、その他に、前述のＹを、Ｇｄ（ガドニウム）、Ｓｍ（サマニウム）、Ｒａ（ランタン）、Ｎｄ（ネオジム）、Ｅｕ（ユーロピウム）、Ｅｕ（ユーロピウム）、Ｅｒ（エルビウム）、Ｙｂ（イッテルビウム）で置換したものや、２種以上を組み合わせたものであってもよい。超伝導バルク体２１３は、超伝導バルク体支持部２１２と共に断熱容器２１１の収容空間に収容され、超伝導バルク体支持部２１２によって支持され、断熱容器２１１中で超伝導遷移温度以下に冷却される。超伝導バルク体２１３は、超伝導遷移温度以下での冷却状態にて、着磁・補正兼用コイル部２２１が形成する着磁磁場により着磁されて磁石になる。超伝導バルク体２１３の着磁は、上マグネット部１０１ａと下マグネット部１０１ｂとのそれぞれについて実施され、上マグネット部１０１ａと下マグネット部１０１ｂとが対向する方向に静磁場を形成する。なお、超伝導バルク体２１３は、上マグネット部１０１ａと下マグネット部１０１ｂとのそれぞれのヨーク２０１と、サイドヨークとにより、磁気回路が構成されている。
【００３０】
着磁・補正兼用コイル部２２１は、円盤状の超伝導バルク体２１３の側部を囲うように巻かれている。着磁・補正兼用コイル部２２１は、超伝導バルク体２１３が静磁場を形成するように、超伝導バルク体２１３を着磁させる着磁磁場を生成すると共に、その着磁後の超伝導バルク体２１３により形成される静磁場が均一になるように補正する補正磁場を生成する。
【００３１】
着磁・補正兼用コイル部２２１は、着磁磁場を生成する際においては、操作コンソール３の着磁駆動部２５から、たとえば、６０００Ａの電流が１０秒間供給される。着磁・補正兼用コイル部２２１は、着磁駆動部２５から電流が供給され、上マグネット部１０１ａと下マグネット部１０１ｂとが対向する方向に着磁磁場を形成して、超伝導バルク体２１３を着磁して、静磁場を形成する。
【００３２】
また、着磁後においては、着磁・補正兼用コイル部２２１は、超伝導バルク体２１３が形成する静磁場が静磁場空間１１の外部へ漏洩しないように補正磁場を生成する。ここでは、着磁・補正兼用コイル部２２１は、着磁によって形成された静磁場の方向に対して、逆方向の磁場を発生する。また、着磁・補正兼用コイル部２２１は、振動検知部１５が検知したマグネットシステム２の振動の結果に基づいて、マグネットシステム２の振動が少なくなるように補正磁場を生成する。また、着磁・補正兼用コイル部２２１は、外部電磁波検知部１６が静磁場空間外からの外部電磁波を検知した結果に基づいて、その外部電磁波をキャンセルするように補正磁場を生成する。ここでは、着磁・補正兼用コイル部２２１は、たとえば、振動と外部電磁波との少なくとも一方による静磁場の変動分をキャンセルするように、その変動分の磁気と逆位相となるような磁場を発生する。着磁・補正兼用コイル部２２１は、上記のような補正磁場を生成する際においては、操作コンソール３の補正駆動部２６から、たとえば、１〜２Ａの電流が供給される。
【００３３】
サイドマグネット部１０２は、上マグネット部１０１ａと下マグネット部１０１ｂとの一端部に配置されており、上マグネット部１０１ａと下マグネット部１０１ｂとを支持している。サイドマグネット部１０２は、サイドヨークを備え、サイドヨークが、上マグネット部１０１ａのヨークと下マグネット部１０１ｂのヨークとに磁気的に接続されている。
【００３４】
勾配コイル部１３は、ＲＦコイル部１４が受信する磁気共鳴信号に３次元の位置情報を持たせるために、静磁場空間１１に勾配磁場を形成する。勾配コイル部１３は、スライス選択勾配磁場、読み取り勾配磁場、位相エンコード勾配磁場の３種類の勾配磁場を形成するために勾配コイルを３系統有する。
【００３５】
ＲＦコイル部１４は、たとえば、被検体４０の撮影領域である頭部全体を囲むように配置されており、送信用と受信用とを兼用するように構成されている。ＲＦコイル部１４は、静磁場空間１１内の被検体に電磁波であるＲＦ信号を送信して高周波磁場を形成し、被検体４０の撮影領域におけるプロトンのスピンを励起する。そして、ＲＦコイル部１４は、その励起されたプロトンから発生する電磁波を磁気共鳴信号として受信する。なお、ＲＦコイル部１４は、送信用コイルと受信用コイルが独立するように設けてもよい。
【００３６】
振動検知部１５は、振動センサにより構成されており、マグネットシステム２の振動を検知する。振動検知部１５は、静磁場マグネット部１２の上マグネット部１０１ａにおいて、サイドマグネット部１０２が配置されている一端部に対して反対側の他端部に配置されている。また、振動検知部１５は、検知したマグネットシステム２の振動の結果を、操作コンソール３の制御部３１に出力する。
【００３７】
外部電磁波検知部１６は、電磁波センサにより構成されており、静磁場空間外からの外部電磁波を検知する。外部電磁波検知部１６は、たとえば、マグネットシステム２が配置されるスキャンルームの壁面に設けられている。また、外部電磁波検知部１６は、検知した外部電磁波の結果を、操作コンソール３の制御部３１に出力する。
【００３８】
クレードル１７は、被検体４０を載置するテーブルであり、静磁場マグネット部１２により静磁場が形成される静磁場空間１１内に被検体４０を搬出入する。
【００３９】
ＲＦ駆動部２２は、ゲート変調器（図示なし）とＲＦ電力増幅器（図示なし）とＲＦ発振器（図示なし）とを有し、ＲＦコイル部１４を駆動させて静磁場空間１１内に高周波磁場を形成する。ＲＦ駆動部２２は、制御部３１からの指示に基づいて、ＲＦ発振器からのＲＦ信号を、ゲート変調器を用いて所定のタイミングおよび所定の包絡線の信号に変調する。そして、ゲート変調器により変調されたＲＦ信号を、ＲＦ電力増幅器により増幅した後、ＲＦコイル部１４に出力する。
【００４０】
勾配駆動部２３は、制御部３１の指示に基づいて勾配コイル部１３を駆動させて、静磁場空間１１内に勾配磁場を発生させる。勾配駆動部２３は、勾配コイル部１３の３系統の勾配コイルに対応して３系統の駆動回路（図示なし）を有する。
【００４１】
データ収集部２４は、ＲＦコイル部１４が受信する磁気共鳴信号を収集するために、位相検波器（図示なし）とアナログ／デジタル変換器（図示なし）とを有する。データ収集部２４は、ＲＦコイル部１４からの磁気共鳴信号を、ＲＦ駆動部２２のＲＦ発振器の出力を参照信号として、位相検波器によって位相検波し、アナログ／デジタル変換器に出力する。そして、位相検波器により位相検波されたアナログ信号である磁気共鳴信号を、アナログ／デジタル変換器によってデジタル信号に変換して、データ処理部４１に出力する。
【００４２】
着磁駆動部２５は、着磁・補正兼用コイル部２２１に接続されており、着磁・補正兼用コイル部２２１が着磁磁場を生成する際においては、たとえば、６０００Ａの電流を１０秒間供給する。
【００４３】
補正駆動部２６は、着磁・補正兼用コイル部２２１に接続されており、着磁・補正兼用コイル部２２１が補正磁場を生成する際においては、制御部３１からの指令に基づいて、たとえば、１〜２Ａの電流を供給して着磁・補正兼用コイル部２２１を駆動する。たとえば、補正駆動部２６は、静磁場空間１１の外部へ漏洩する漏洩磁場の測定結果に基づいて、静磁場が静磁場空間の外部へ漏洩しないように着磁・補正兼用コイル部２２１に補正磁場を生成させる。具体的には、補正駆動部２６は、着磁によって形成された静磁場の方向に対して逆方向の磁場を発生するように着磁・補正兼用コイル部２２１を駆動する。また、たとえば、補正駆動部２６は、振動検知部１５が検知する振動の結果に基づいてマグネットシステム２の振動の影響が少なくなるように、着磁・補正兼用コイル部２２１に補正磁場を生成させる。また、たとえば、補正駆動部２６は、外部電磁波検知部１６が静磁場空間外からの外部電磁波を検知した結果に基づいて、その外部電磁波の影響をキャンセルするように、着磁・補正兼用コイル部２２１に補正磁場を生成させる。ここでは、補正駆動部２６は、振動と外部電磁波との少なくとも一方による静磁場の変動分をキャンセルするために、その変動分の磁気と逆位相となる磁場を発生するように、着磁・補正兼用コイル部２２１を駆動する。
【００４４】
制御部３１は、コンピュータにより構成されている。制御部３１は、操作部４２からデータ処理部４１を介して送られる指令に基づいて、ＲＦ駆動部２２と勾配駆動部２３とデータ収集部２４と搬出入部２７との各部を制御する。また、制御部３１は、所望の画像を得るために、操作部４２からの指令に基づいてデータ処理部４１を制御する。また、制御部３１は、データ処理部４１からの指令に基づいて、着磁・補正兼用コイル部２２１が所定の補正磁場を生成するように、補正駆動部２６を制御する。
【００４５】
データ処理部４１は、コンピュータにより構成されている。データ処理部４１は、制御部３１に接続されており、操作部４２に入力された操作信号を処理し、制御部３１に送信する。また、データ処理部４１は、データ収集部２４に接続されており、データ収集部２４から出力される磁気共鳴信号に対して各種の画像処理をして、画像データを生成する。
【００４６】
また、データ処理部４１は、静磁場空間１１の外部へ漏洩する漏洩磁場の測定結果を解析する。そして、データ処理部４１は、その解析結果に基づいて、静磁場が静磁場空間の外部へ漏洩しないように着磁・補正兼用コイル部２２１に補正磁場を生成させる制御信号を生成し、制御部３１を介してその制御信号を補正駆動部２６に出力する。
【００４７】
そして、データ処理部４１は、振動検知部１５が検知する振動の結果を解析する。そして、データ処理部４１は、その解析結果に基づいてマグネットシステム２の振動が少なくなるように、着磁・補正兼用コイル部２２１に補正磁場を生成させる制御信号を生成し、制御部３１を介してその制御信号を補正駆動部２６に出力する。
【００４８】
また、データ処理部４１は、外部電磁波検知部１６が静磁場空間外からの外部電磁波を検知した結果を解析する。そして、データ処理部４１は、その解析結果に基づいて、外部電磁波をキャンセルするように、着磁・補正兼用コイル部２２１に補正磁場を生成させる制御信号を生成し、制御部３１を介してその制御信号を補正駆動部２６に出力する。
【００４９】
操作部４２は、キーボードやマウスなどの操作デバイスにより構成されており、オペレータの操作に応じた操作信号をデータ処理部４１に出力する。
【００５０】
表示部４３は、グラフィックディスプレイなどの表示デバイスにより構成されており、データ処理部４１が生成する被検体の断層画像や各種情報を表示する。
【００５１】
なお、上記の本実施形態における磁気共鳴イメージング装置１は、本発明の磁気共鳴イメージング装置に相当する。また、本実施形態のマグネットシステム２は、本発明の磁場形成部およびマグネットシステムに相当する。また、本実施形態の振動検知部１５は、本発明の振動検知部に相当する。また、本実施形態の外部電磁波検知部１６は、本発明の外部電磁波検知部に相当する。また、本実施形態の超伝導バルク体２１３は、本発明の超伝導バルク体に相当する。また、本実施形態の着磁・補正兼用コイル部２２１は、本発明のコイル体に相当する。
【００５２】
以下より、上記の本実施形態の磁気共鳴イメージング装置１の動作について説明する。
【００５３】
図３は、超伝導バルク体２１３を着磁する際の動作を示すフロー図である。
【００５４】
図３に示すように、超伝導バルク体２１３を着磁する際においては、まず、超伝導バルク体２１３を冷却する（Ｓ１１）。
【００５５】
具体的には、断熱容器２１１が超伝導バルク体２１３を収容する空間に、たとえば、液体窒素などの冷媒２１４を注入し、超伝導バルク体２１３を超伝導遷移温度以下の冷却状態にする。
【００５６】
つぎに、着磁・補正兼用コイル部２２１を用いて着磁磁場を形成し、超伝導遷移温度以下の冷却状態にある超伝導バルク体２１３を着磁する（Ｓ２１）。
【００５７】
ここでは、着磁駆動部２５から着磁・補正兼用コイル部２２１に、たとえば、６０００Ａの電流を１０秒間供給し、上マグネット部１０１ａと下マグネット部１０１ｂとが対向する方向に着磁磁場を形成する。このようにして、超伝導遷移温度以下の冷却状態にある超伝導バルク体２１３に超伝導現象を発生させて着磁を行い、静磁場を形成する。
【００５８】
つぎに、着磁後の超伝導バルク体２１３により形成される静磁場が均一になるように補正する補正磁場を着磁・補正兼用コイル部２２１が生成する（Ｓ３１）。
【００５９】
図４は、超伝導バルク体２１３が形成する静磁場が静磁場空間１１の外部へ漏洩しないように、着磁・補正兼用コイル部２２１が補正磁場を形成する手順を示すフロー図である。
【００６０】
図４に示すように、まず、静磁場空間からの漏洩磁場の強度を測定する（Ｓ１０１）。
【００６１】
つぎに、その漏洩磁場の強度の結果に基づいて、補正磁場を形成するために着磁・補正兼用コイル部２２１に供給する電流値を算出する（Ｓ１０２）。ここでは、着磁・補正兼用コイル部２１１への電流値と、着磁・補正兼用コイル部２１１が発生する磁場強度との関係を示すルックアップテーブルを予め算出して記憶しておき、そのルックアップテーブルを用いて、漏洩磁場がキャンセルされるように、着磁・補正兼用コイル部２２１への第１の電流値Ｉ１を求める。
【００６２】
図５は、振動検知部１５が検知したマグネットシステム２の振動の結果に基づいて、マグネットシステム２の振動が少なくなるように着磁・補正兼用コイル部２２１が補正磁場を生成する手順を示すフロー図である。
【００６３】
図５に示すように、まず、振動検知部１５がマグネットシステム２の振動を検知する（Ｓ２０１）。
【００６４】
つぎに、その振動検知部１５が検知したマグネットシステム２の振動の結果に基づいて、補正磁場を形成するために着磁・補正兼用コイル部２２１に供給する電流値を算出する（Ｓ２０２）。ここでは、振動による静磁場の変動分をキャンセルするために、その変動分の磁気と逆位相となるような磁場を発生するように、着磁・補正兼用コイル部２２１への第２の電流値Ｉ２を求める。
【００６５】
図６は、外部電磁波検知部１６が静磁場空間外からの外部電磁波を検知した結果に基づいて、その外部電磁波をキャンセルするように補正磁場を生成する手順を示すフロー図である。
【００６６】
図６に示すように、まず、外部電磁波検知部１６が静磁場空間外からの外部電磁波を検知する（Ｓ３０１）。
【００６７】
つぎに、その外部電磁波検知部１６が検知した外部電磁波の結果に基づいて、補正磁場を形成するために着磁・補正兼用コイル部２２１に供給する電流値を算出する（Ｓ３０２）。ここでは、外部電磁波による静磁場の変動分をキャンセルするために、その変動分の磁気と逆位相となるような磁場を発生するように、着磁・補正兼用コイル部２２１への第３の電流値Ｉ３を求める。
【００６８】
そして、漏洩磁場をキャンセルするための第１の電流値Ｉ１と、振動による静磁場の変動分をキャンセルするための第２の電流値Ｉ２と、外部電磁波による静磁場の変動分をキャンセルするための第３の電流値Ｉ３とのそれぞれの値に基づいて、第１から第３の電流値を重み付け加算し、着磁・補正兼用コイル部２２１に供給する電流値Ｉを算出する。そして、その算出した電流値になるように着磁・補正兼用コイル部２２１に電流を供給し、補正磁場を形成する。
【００６９】
そして、被検体をクレードル１７に載置後、着磁後の超伝導バルク体２１３により静磁場が形成され、着磁・補正兼用コイル部２２１が生成する補正磁場により静磁場が均一にされた静磁場空間１１に、クレードル１７に載置された被検体を搬入する。
【００７０】
そして、パルスシーケンスなどの撮影情報をオペレータが操作部４２に入力する。そして、入力された撮影情報に基づいて、制御部３１がＲＦ駆動部２２と勾配駆動部２３とデータ収集部２４とを制御し、ＲＦコイル部１４と勾配コイル部１３とを駆動してスキャンを実施する。そして、被検体４０からの磁気共鳴信号をＲＦコイル部１４が受信する。
【００７１】
その後、ＲＦコイル部１４が受信した磁気共鳴信号をデータ収集部２４が収集してデータ処理部４１に出力し、データ処理部４１がその磁気共鳴信号に対して画像処理し、被検体の断層面の画像を生成する。そして、データ処理部４１が生成した被検体の断層面の画像を表示部４３が表示する。
【００７２】
以上のように、本実施形態においては、着磁・補正兼用コイル部２２１が、静磁場を形成するように超伝導バルク体を着磁し、そして、その着磁後の超伝導バルク体により形成される静磁場が均一になるように補正する補正磁場を生成する。このため、冷却器や着磁コイルなどを含む煩雑な磁気発生装置を設置場所に搬出入し、その磁気発生装置を超伝導バルク体にセットする必要がなくなるために、作業効率を向上でき、超伝導バルク体を着磁することが容易になる。また、着磁・補正兼用コイル部２２１は、着磁磁場を形成後、補正磁場を形成するコイルとして利用し、コイルを有効的に用いているためコストを低減することができる。したがって、本実施形態によれば、コストを低減して超伝導バルク体を着磁することが容易であり、作業効率を向上することができる。
【００７３】
なお、本発明の実施に際しては、上記した実施形態に限定されるものではなく、種々の変形形態を採用することができる。
【００７４】
たとえば、上記の実施形態においては、補正磁場を形成する際に、静磁場が静磁場空間の外部への漏洩防止と、マグネットシステムの振動による影響と、外部電磁波の影響とのすべてをキャンセルするように補正磁場を生成しているが、いずれか１つのみであってもよい。
【図面の簡単な説明】
【００７５】
【図１】図１は、本発明にかかる実施形態の磁気共鳴イメージング装置の構成を示す構成図である。
【図２】図２は、本発明にかかる実施形態における静磁場マグネット部の構成を示す図である。
【図３】図３は、本発明にかかる実施形態において、超伝導バルク体を着磁する際の動作を示すフロー図である。
【図４】図４は、本発明にかかる実施形態において、超伝導バルク体が形成する静磁場が静磁場空間の外部へ漏洩しないように、着磁・補正兼用コイル部が補正磁場を形成する手順を示すフロー図である。
【図５】図５は、本発明にかかる実施形態において、マグネットシステムの振動が少なくなるように着磁・補正兼用コイル部が補正磁場を生成する手順を示すフロー図である。
【図６】図６は、本発明にかかる実施形態において、外部電磁波をキャンセルするように補正磁場を生成する手順を示すフロー図である。
【符号の説明】
【００７６】
１：磁気共鳴イメージング装置（磁気共鳴イメージング装置）
２：マグネットシステム（磁場形成部，マグネットシステム）
３：操作コンソール
１１：静磁場空間
１２：静磁場マグネット部
１３：勾配コイル部
１４：ＲＦコイル部
１５：振動検知部（振動検知部）
１６：外部電磁波検知部（外部電磁波検知部）
１７：クレードル
２２：ＲＦ駆動部
２３：勾配駆動部
２４：データ収集部
２５：着磁駆動部
２６：補正駆動部
３１：制御部
４１：データ処理部
４２：操作部
４３：表示部
１０１ａ：上マグネット部
１０１ｂ：下マグネット部
１０２：サイドマグネット部
２０１：ヨーク
２１１：断熱容器
２１２：超伝導バルク体支持部
２１３：超伝導バルク体（超伝導バルク体）
２２１：着磁・補正兼用コイル部（コイル体）
【図１】
2006034528.tif 000003
【図２】
2006034528.tif 000004
【図３】
2006034528.tif 000005
【図４】
2006034528.tif 000006
【図５】
2006034528.tif 000007
【図６】
2006034528.tif 000008